(57)【要約】      （修正有）【課題】ＡＶ機器において視覚的な演出の効果を高める。【解決手段】ＡＶ機器１０は、楽曲の再生の移動に対応して回転する回転体を具備する。ＡＶ機器１０の各要素は筐体部１９に設置される。回転操作子１１の操作面Ｆｂに楽曲画像Ｇが表示される。回転操作子１１の操作面Ｆｂは、蓄積された光により発光する蓄光材料で形成される。光照射部１２は、支持部１２１とＮ個の発光素子１２３とを具備する。光照射部１２により光を照射された操作面Ｆｂが発光することで画像を表示する。【選択図】図３
2020202001.tif 000002
【特許請求の範囲】
【請求項１】
楽曲の再生点の移動に対応して回転する回転体を具備し、
前記回転体は、画像を表示する
ＡＶ機器。
【請求項２】
前記回転体は、前記再生点を変化させるために利用者が回転させる回転操作子である
請求項１のＡＶ機器。
【請求項３】
前記回転操作子のうち前記利用者が接触する操作面に前記画像が表示される
請求項２のＡＶ機器。
【請求項４】
前記回転操作子の操作面に光を照射する光照射部を具備し、
前記回転操作子は、前記操作面が畜光材料で形成され、前記光照射部による照射により前記画像を表示する
請求項３のＡＶ機器。
【請求項５】
前記光照射部は、前記回転操作子の半径方向に沿って配列される複数の発光素子を具備する
請求項４のＡＶ機器。
【請求項６】
前記回転操作子は、前記楽曲の再生に並行して回転する
請求項２から請求項５の何れかのＡＶ機器。
【請求項７】
前記画像は、前記再生点に対応する画像である
請求項１から請求項６の何れかのＡＶ機器。
【請求項８】
前記画像は、前記楽曲を表す音信号の波形のうち前記再生点に対応する部分を含む
請求項７のＡＶ機器。
【請求項９】
前記画像は、前記楽曲の歌詞のうち前記再生点に対応する部分を含む
請求項７のＡＶ機器。
【請求項１０】
前記画像は、前記再生点の手前の時点に対応する部分を含む
請求項８から請求項９の何れかのＡＶ機器。
【発明の詳細な説明】
【技術分野】
【０００１】
本発明は、ＡＶ（Audio Visual ）機器に関する。
【背景技術】
【０００２】
円盤状の操作子（ターンテーブル）を任意の方向および速度で回転させる操作により、楽曲の再生の方向および速度を制御するＡＶ機器が従来から提案されている（例えば特許文献１）。
【先行技術文献】
【特許文献】
【０００３】
【特許文献１】国際公開第２００８／１２０３９７号
【発明の概要】
【発明が解決しようとする課題】
【０００４】
例えば、ＡＶ機器による音響の再生において、聴覚的な演出だけでなく視覚的な演出の効果も重要である。従来のＡＶ機器においては、視覚的な演出の効果の向上という観点で改善の余地がある。以上の事情を考慮して、本開示は、ＡＶ機器において視覚的な演出の効果を高めることを目的とする。
【課題を解決するための手段】
【０００５】
以上の課題を解決するために、本開示のひとつの態様に係るＡＶ機器は、楽曲の再生点の移動に対応して回転する回転体具備し、前記回転体は、画像を表示する。
【図面の簡単な説明】
【０００６】
【図１】本開示の第１実施形態に係る再生システムの構成を例示するブロック図である。
【図２】ＡＶ機器の機能的な構成を例示するブロック図である。
【図３】ＡＶ機器の平面図である。
【図４】画像データの模式図である。
【図５】端末装置の制御装置のフローチャートである。
【図６】第２実施形態に係るＡＶ機器の平面図である。
【図７】第２実施形態に係る画像データの模式図である。
【発明を実施するための形態】
【０００７】
＜第１実施形態＞
図１は、本開示の第１実施形態における再生システム１の構成を例示するブロック図である。再生システム１は、楽曲を再生するコンピュータシステムであり、クラブまたはライブハウス等の各種イベント会場に設置される。第１実施形態の再生システム１は、ＡＶ機器１０と端末装置２０と放音装置３０とを具備する。ＡＶ機器１０は、例えば利用者（ＤＪ）による操作を受付けるＤＪコントローラである。端末装置２０は、ＡＶ機器１０に対する操作に応じて楽曲の再生を制御する。端末装置２０は、例えばスマートフォン、タブレット端末またはパーソナルコンピュータ等の情報端末である。放音装置３０（例えばスピーカまたはヘッドホン）は、端末装置２０による制御のもとで楽曲を再生する再生機器である。第１実施形態のＡＶ機器１０は、端末装置２０による制御のもとで楽曲に関連する画像（以下「楽曲画像」という）を表示する。
【０００８】
端末装置２０は、制御装置２１と記憶装置２３と通信装置２５と入力装置２７とを具備する。制御装置２１は、例えばＣＰＵ（Central Processing Unit）等の単数または複数の処理回路であり、端末装置２０の各要素を制御する。記憶装置２３は、制御装置２１が実行するプログラムと制御装置２１が使用する各種のデータとを記憶する。例えば磁気記録媒体もしくは半導体記録媒体等の公知の記録媒体が記憶装置２３として利用される。具体的には、記憶装置２３は、音信号Ｑを記憶する。音信号Ｑは、楽曲の演奏により発音される音響（例えば歌唱音または演奏音）の時間波形を表現するサンプルの時系列である。端末装置２０から放音装置３０に音信号Ｑが供給されることで、当該音信号Ｑが表す楽曲が再生される。
【０００９】
制御装置２１は、記憶装置２３に記憶されたプログラムを実行することで、楽曲の再生および楽曲画像の表示をするための機能（信号処理部２１２および画像処理部２１４）を実現する。信号処理部２１２は、放音装置３０が再生する楽曲のうち再生の対象となる位置（以下「再生点」という）を制御する。具体的には、信号処理部２１２は、音信号Ｑのうち再生点に対応する部分（すなわち再生点に対応するサンプル）を放音装置３０に供給する。画像処理部２１４は、楽曲画像Ｇを表示するためのデータ（以下「画像データＤ」という）を生成してＡＶ機器１０に供給する。ＡＶ機器１０は、画像データＤに応じて楽曲画像Ｇを表示する。画像データＤは、音信号Ｑに応じて生成される。なお、画像データＤの詳細は後述する。
【００１０】
通信装置２５は、ＡＶ機器１０および放音装置３０と通信するための通信機器であり、無線または有線でＡＶ機器１０および放音装置３０に接続される。具体的には、通信装置２５は、制御装置２１による制御のもとで、放音装置３０に音信号Ｑを送信し、かつ、ＡＶ機器１０に画像データＤを送信する。入力装置２７（例えばタッチパネル）は、端末装置２０に対する各種の指示のために利用者が操作する操作機器であり、例えば利用者が操作する複数の操作子を含んで構成される。具体的には、入力装置２７は、楽曲の再生の開始および停止の指示を利用者から受け付ける。楽曲の再生の開始を入力装置２７が受け付けると、放音装置３０に対する音信号Ｑの供給と、ＡＶ機器１０に対する画像データＤの供給とが開始される。また、楽曲の再生の停止を入力装置２７が受け付けると、放音装置３０に対する音信号Ｑの供給と、ＡＶ機器１０に対する画像データＤの供給とが停止される。
【００１１】
図２は、ＡＶ機器１０の機能的な構成を例示するブロック図であり、図３は、ＡＶ機器１０の平面図である。図２に例示される通り、ＡＶ機器１０は、回転操作子１１と光照射部１２と回転駆動回路１３と検出回路１４と表示駆動回路１５と通信装置１６と入力装置１７とを具備する。ＡＶ機器１０の各要素は筐体部１９に設置される。筐体部１９は、実装面Ｆaを含む直方体状に形成された中空の構造体である。実装面Ｆaは、ＡＶ機器１０が床面に設置された状態で鉛直方向の上方に位置する平坦面である。回転操作子１１と光照射部１２とは実装面Ｆaに設置され、検出回路１４と回転駆動回路１３と表示駆動回路１５と通信装置１６とは筐体部１９の内部に収容される。
【００１２】
通信装置１６は、端末装置２０と通信するための通信機器であり、例えば端末装置２０から送信された画像データＤを受信する。入力装置１７は、端末装置２０に対する各種の指示のために利用者が操作する操作機器であり、例えば利用者が操作する複数の操作子を含んで構成される。具体的には、入力装置１７は、回転操作子１１の回転の開始および停止の指示を利用者から受け付ける。
【００１３】
回転操作子１１（回転体の一例）は、楽曲の再生点を変化させるために利用者が操作する操作機器である。利用者は、回転により回転操作子１１を操作する。図３に例示される通り、回転操作子１１は、操作面Ｆbを含む円盤状の構造体であり、中心軸を中心に回転する。操作面Ｆbは、利用者が操作のために接触する面であり、回転操作子１１のうち実装面Ｆaに略平行な面である。
【００１４】
利用者は、操作面Ｆbに接触した状態で回転操作子１１を任意の方向および速度で回転（すなわちスクラッチ操作）させることで、再生点を移動させることが可能である。具体的には、利用者は、所望の回転方向（時計回り／反時計回り）および角速度で回転操作子１１を回転させる。回転操作子１１の回転方向は、楽曲の時間軸上における再生点の移動方向（順方向／逆方向）に対応する。回転操作子１１を時計回りに回転させる動作は、再生点を時間軸上で後方（順方向）に移動させる操作に対応し、回転操作子１１を反時計回りに回転させる動作は、再生点を時間軸上で前方（逆方向）に移動させる操作に対応する。
【００１５】
第１実施形態の回転操作子１１は、再生システム１による楽曲の再生に並行して回転する。すなわち、回転操作子１１は、楽曲の再生点の移動に対応して回転する。具体的には、回転操作子１１は、楽曲の再生速度に応じた角速度で一方向（例えば時計回り）に連続的に回転する。すなわち、利用者は、回転状態にある回転操作子１１に対して操作する。
【００１６】
回転駆動回路１３は、回転操作子１１を所定の角速度で回転させる。例えばモーター等のアクチュエータが回転駆動回路１３として利用される。第１実施形態の回転駆動回路１３は、入力装置１７に対する利用者からの操作に応じて回転操作子１１の回転を開始または停止させる。
【００１７】
図２の検出回路１４は、回転操作子１１の回転に応じた検出信号Ｍを生成する。検出信号Ｍは、例えば回転操作子１１の回転方向および角速度を表す信号である。例えば回転操作子１１の回転を光学的に検出するロータリーエンコーダー等のセンサーが検出回路１４として利用される。回転操作子１１に対する操作がない状態では、回転操作子１１が時計回りに所定の角速度で回転することを表す検出信号Ｍが生成される。他方、回転操作子１１が利用者により操作されている状態では、当該操作の内容（回転方向および角速度）を表す検出信号Ｍが生成される。検出回路１４が生成した検出信号Ｍは、通信装置１６から端末装置２０に送信される。
【００１８】
図１の端末装置２０の通信装置２５は、ＡＶ機器１０から送信された検出信号Ｍを受信する。信号処理部２１２は、通信装置２５が受信した検出信号Ｍに応じて再生点を単位期間毎に移動させる。単位期間は、スクラッチ操作の１周期分に対して十分に短い時間長である。具体的には、信号処理部２１２は、検出信号Ｍが表す回転方向に応じた方向（順方向／逆方向）に当該検出信号Ｍが表す角速度に応じた速度で再生点を移動させる。なお、回転操作子１１の角速度が速いほど、再生点の移動速度が速い。回転操作子１１に対する操作がない状態では、再生点は順方向に一定の速度で移動する。他方、回転操作子１１に対して利用者が操作をしている状態では、再生点は当該操作の内容（回転方向および角速度）に応じて移動する。信号処理部２１２は、音信号Ｑのうち移動後の再生点に対応する部分を放音装置３０に供給する。なお、実際には、信号処理部２１２は、音信号Ｑに対して各種の音響処理（例えば増幅処理またはイコライジング）をしてから放音装置３０に対して供給する。
【００１９】
図３の回転操作子１１は、楽曲画像Ｇを表示する表示装置としても機能する。具体的には、回転操作子１１の操作面Ｆbに楽曲画像Ｇが表示される。すなわち、回転操作子１１の回転に応じて楽曲画像Ｇも回転する。具体的には、楽曲画像Ｇは、光照射部１２による照射により操作面Ｆbに表示される。第１実施形態の回転操作子１１の操作面Ｆbは、蓄積された光により発光する畜光材料で形成される。例えば円板の表面に蓄光シートを接合することで回転操作子１１が構成される。光照射部１２により光を照射された操作面Ｆbが発光することで画像を表示する。第１実施形態の楽曲画像Ｇは、楽曲の再生点に対応する画像である。再生点は時間の経過とともに楽曲の後方に移動するから、楽曲内における再生点の位置に応じて楽曲画像Ｇが変化する。図３に例示される通り、音信号Ｑの波形のうち再生点に対応する部分を含む楽曲画像Ｇが操作面Ｆbに表示される。なお、楽曲画像Ｇを楽曲の音量に応じて変化させてもよい。再生対象となる音信号Ｑの波形は、音量に応じて変化するから、操作面Ｆbに表示される楽曲画像Ｇも変化する。
【００２０】
光照射部１２は、表示駆動回路１５の制御のもとで操作面Ｆbに光を照射する照明機器である。第１実施形態の光照射部１２は、支持部１２１とＮ個の発光素子１２３とを具備する（Ｎは２以上の自然数）。各発光素子１２３は、例えばＬＥＤ（Light Emitting Diode）等の光源である。支持部１２１は、Ｎ個の発光素子１２３を支持するための腕状の構造体であり、筐体部１９の実装面Ｆaに設置される。具体的には、支持部１２１は回転操作子１１の半径方向に沿って延在する。支持部１２１における一方の端部が実装面Ｆaに固定され、他方の端部は回転操作子１１の中心部に接触する。
【００２１】
Ｎ個の発光素子１２３は、支持部１２１に支持される。支持部１２１のうち操作面Ｆbに対向する面にＮ個の発光素子１２３が設置される。各発光素子１２３は、光軸が操作面Ｆbに対して垂直になるように支持部１２１に設置される。具体的には、Ｎ個の発光素子１２３は、支持部１２１の延在方向に沿って配列される。すなわち、複数の発光素子１２３は、回転操作子１１の半径方向に沿って配列される。したがって、操作面Ｆbのうち半径方向に沿った直線状の領域が光照射部１２により照射される。
【００２２】
なお、支持部１２１のうち回転操作子１１の中心部に接触する端部は、支持部１２１の他方の端部（筐体部１９に固定されている端部）を中心に、実装面Ｆaに対して水平方向に動く。したがって、利用者は、光照射部１２による照射が不要な場合には、支持部１２１のうち回転操作子１１に接触する端部を操作面Ｆbに接触しない位置に移動させることができる。また、筐体部１９に対して着脱可能な光照射部１２を採用してもよい。
【００２３】
図１の端末装置２０の画像処理部２１４は、再生点に対応する画像データＤを生成する。図４は、画像データＤの模式図である。具体的には、画像処理部２１４は、単位期間毎（再生点Ｐの移動毎）に画像データＤを生成する。画像データＤは、相異なる発光素子１２３に対応するＮ個の単位データＵを含む。Ｎ個の単位データＵの配列は、支持部１２１に支持されるＮ個の発光素子１２３の配列に対応する。１個の発光素子１２３に対応する１個の単位データＵは、再生点Ｐにおける当該発光素子１２３の発光／消灯を指示すデータである。画像処理部２１４は、音信号Ｑの波形Ｗにおいて再生点Ｐに対応する部分を表すＮ個の単位データＵのうち、当該波形Ｗの内部に位置する単位データＵについては発光を指示する数値に設定し、波形Ｗの外部に位置する単位データＵについては消灯を指示する数値に設定する。画像処理部２１４は、画像データＤをＡＶ機器１０に供給する。
【００２４】
表示駆動回路１５は、端末装置２０から送信された画像データＤに応じて光照射部１２を制御する。具体的には、表示駆動回路１５は、画像データＤの受信毎（すなわち単位期間毎）に、各発光素子１２３の発光／消灯を制御する。具体的には、表示駆動回路１５は、画像データＤのうち各発光素子１２３に対応する単位データＵに応じて当該発光素子１２３を発光または消灯させる。操作面Ｆbのうち光照射部１２により照射される領域が、回転操作子１１の回転に応じて周方向に移動する。したがって、時間軸上に連続した複数の画像データＤの各々に応じて各発光素子１２３を制御することで、操作面Ｆbの周方向に沿う波形を表す楽曲画像Ｇが表示される。
【００２５】
具体的には、蓄光シートの蓄光量（すなわち発光量）は、光照射部１２による光照射の時点から経時的に減少する。したがって、操作面Ｆbに表示される楽曲画像Ｇは、回転の下流側に位置につれて低い濃度（発光量）となる。例えば、操作面Ｆbの特定の地点が光照射部１２の直下から１周するまでの期間内に、当該地点の蓄光量は０に十分に近づく。そして、操作面Ｆbの特定の地点は、光照射部１２の直下に到達すると、再生点Ｐに対応する画像データＤに応じて光照射部１２により再び照射される。なお、光照射部１２は、回転操作子１１が１周する間に蓄光量が０に十分に近づくような強度で操作面Ｆbを照射する。すなわち、楽曲画像Ｇは、操作面Ｆbが１周回る毎に、光照射部１２により新規の楽曲画像Ｇに上書きされる。したがって、利用者は、直近で光照射部１２により照射された楽曲画像Ｇを、１周前に照射された楽曲画像Ｇに妨げられることなく、視認することができる。以上の説明から理解される通り、操作面Ｆbに表示される楽曲画像Ｇは、楽曲の進行（すなわち再生点Ｐの移動）に応じて変化する画像である。回転操作子１１の操作に応じて再生点Ｐは移動するから、楽曲画像Ｇも当該回転操作子１１の操作に応じて変化する。すなわち、光照射部１２による照射に並行して、回転操作子１１の回転により操作面Ｆbに円周方向に沿って楽曲画像Ｇが表示される。
【００２６】
図５は、端末装置２０の制御装置２１のフローチャートである。利用者からの楽曲再生の指示を契機として図５の処理が開始される。図５の処理は、単位期間毎に繰り返し実行される。制御装置２１は、ＡＶ機器１０から送信された検出信号Ｍを通信装置２５に受信させる（Ｓa1）。信号処理部２１２は、ＡＶ機器１０から送信された検出信号Ｍから、回転操作子１１の操作内容（回転方向および角速度）を特定する（Ｓa2）。信号処理部２１２は、回転操作子１１の操作内容に応じて、楽曲の再生点Ｐを移動する（Ｓa3）。具体的には、信号処理部２１２は、回転操作子１１の回転方向に応じた方向（順方向／逆方向）に、回転操作子１１の角速度に応じた速度で再生点Ｐを移動する。制御装置２１は、音信号Ｑのうち移動後の再生点Ｐに対応する部分を放音装置３０に送信する（Ｓa4）。画像処理部２１４は、楽曲の再生点Ｐに応じて画像データＤを生成する（Ｓa5）。画像データＤは、光照射部１２の各発光素子１２３が、音信号Ｑの波形のうち再生点Ｐに対応する部分の内部に位置するか否かに応じて生成される。制御装置２１は、画像データＤを通信装置２５からＡＶ機器１０に送信させる（Ｓa6）。ＡＶ機器１０の光照射部１２は、端末装置２０から順次に送信される画像データＤに応じて操作面Ｆbを照射する。そして、光照射部１２により照射された操作面Ｆbは、楽曲の再生点Ｐに対応する楽曲画像Ｇを表示する。
【００２７】
以上の説明から理解される通り、第１実施形態では、楽曲の再生点Ｐを変化させるために利用者が回転させる回転操作子１１に楽曲画像Ｇが表示されるから、回転操作子１１の回転に応じて楽曲画像Ｇも回転する。したがって、例えば回転操作子１１とは別個の表示装置に楽曲画像Ｇが表示される構成（以下「対比例」という）と比較して、視覚的な演出の効果が高い。対比例においても、回転操作子１１の回転に連動して楽曲画像Ｇを移動させることで、視覚的な演出の効果を実現する余地がある。しかし、回転操作子１１の回転に連動して楽曲画像Ｇを移動させる煩雑な表示制御が必要である。本開示は、回転操作子１１自体が画像を表示するので、表示制御により画像を移動させなくても回転操作子１１の回転に連動して楽曲画像Ｇが移動する。したがって、楽曲画像Ｇの表示制御のための処理負荷が対比例と比較して低減される。
【００２８】
回転操作子の操作面Ｆbに楽曲画像Ｇが表示される第１実施形態の構成によれば、楽曲画像Ｇの表示に利用できる面積を確保しやすいという利点がある。第１実施形態では、回光照射部１２が転操作子１１の操作面Ｆbを照射することで楽曲画像Ｇが表示されるから、簡便な構成により回転操作子１１に楽曲画像Ｇを表示することができる。第１実施形態では、操作面Ｆbが畜光材料で形成されるから、楽曲画像Ｇが経時的に薄くなる。したがって、楽曲画像Ｇを消去する処理が不要になる。また、楽曲画像Ｇを表示するための電源を回転操作子１１に供給することが不要になるから、例えば表示のための電源の供給が回転操作子１１に必要な構成と比較して、ＡＶ機器１０の構成が簡素化される。平面型の表示パネルを回転操作子１１として利用する構成と比較して、機械的な強度を確保しやすい。
【００２９】
第１実施形態では、半径方向に沿って配列される複数の発光素子１２３が操作面Ｆbを照射するから、例えば操作面Ｆbの広範囲にわたり発光素子１２３が配列される構成と比較して、利用者による操作を阻害することなく、回転操作子１１の操作面Ｆbの全体にわたり楽曲画像Ｇを表示することができる。楽曲の再生に並行して楽曲画像Ｇが連続的に回転するから、利用者からの操作が発生した場合にのみ回転操作子１１が回転する構成と比較して、視覚的な演出の効果が高いという利点がある。
【００３０】
第１実施形態では、楽曲の再生点Ｐの移動に応じて表示される楽曲画像Ｇが変化するから、利用者が楽曲の再生点Ｐを視覚的に把握しやすい。すなわち、利用者がＤＪプレイをしやすいという利点がある。また、楽曲の音信号Ｑにおいて再生点Ｐに対応する部分の波形が表示されるから、利用者が楽曲の再生点Ｐを視覚的に把握しやすいという効果が顕著である。特に、楽曲を表す音信号Ｑの波形のうち再生点Ｐに対応する部分を含む楽曲画像が表示されるから、利用者が楽曲の再生点Ｐを視覚的に把握しやすいという効果が顕著である。
【００３１】
＜第２実施形態＞
本開示の第２実施形態を説明する。以下に例示する各態様において作用や機能が第１実施形態と同様である要素については、第１実施形態の説明で使用した符号を流用して各々の詳細な説明を適宜に省略する。
【００３２】
図６は、第２実施形態に係るＡＶ機器１０の平面図である。第１実施形態のＡＶ機器１０は、楽曲の音信号Ｑの波形を表す楽曲画像Ｇとして表示したが、第２実施形態のＡＶ機器１０は、楽曲の歌詞を表す楽曲画像Ｇとして表示する。なお、ＡＶ機器１０の構成は、第１実施形態と同様である。第２実施形態に係る端末装置２０の記憶装置２３は、音信号Ｑに加えて、歌詞画像を記憶する。歌詞画像は、楽曲の歌詞（文字列）を表すビットマップである。
【００３３】
端末装置２０の信号処理部２１２は、第１実施形態と同様に、ＡＶ機器１０から送信された検出信号Ｍに応じて楽曲の再生点Ｐを移動させる。画像処理部２１４は、信号処理部２１２が移動させた再生点Ｐに対応する画像データＤを生成する。画像データＤは、第１実施形態と同様に、相異なる発光素子１２３に対応するＮ個の単位データＵを含む。図７は、第２実施形態に係る画像データＤの模式図である。第２実施形態の画像処理部２１４は、歌詞画像において再生点Ｐに対応する部分を表すＮ個の単位データＵのうち、歌詞の各文字の内部に位置する単位データＵについては発光を指示する数値に設定し、歌詞の各文字の外部に位置する単位データＵについては消灯を指示する数値に設定する。画像処理部２１４が生成した画像データＤは、ＡＶ機器１０に送信される。
【００３４】
ＡＶ機器１０の表示駆動回路１５は、第１実施形態と同様に、画像データＤに応じて光照射部１２を制御する。光照射部１２は、表示駆動回路１５の制御のもとで、操作面Ｆbに光を照射する。光照射部１２により照射された操作面Ｆbは、第１実施形態と同様に、楽曲の再生点Ｐに対応する楽曲画像Ｇを表示する。第２実施形態では、楽曲の歌詞のうち再生点Ｐに対応する部分を含む楽曲画像Ｇとして表示される。したがって、楽曲の再生に並行して当該楽曲の歌詞が操作面Ｆbに表示される。
【００３５】
第２実施形態においても第１実施形態と同様の効果が実現される。第２実施形態では特に、楽曲の歌詞のうち再生点Ｐに対応する部分を含む楽曲画像Ｇが操作面Ｆbに表示されるから、利用者が楽曲の再生点Ｐを視覚的に把握しやすいという効果が顕著である。
【００３６】
＜変形例＞
以上に例示した各態様は多様に変形され得る。具体的な変形の態様を以下に例示する。以下の例示から任意に選択された２個以上の態様は、相互に矛盾しない範囲で適宜に併合され得る。
【００３７】
（１）前述の各形態において、ＡＶ機器１０に端末装置２０の機能（信号処理部２１２および画像処理部２１４）を搭載してもよい。すなわち、端末装置２０は省略される。
【００３８】
（２）前述の各形態では、光照射部１２の複数の発光素子１２３は回転操作子１１の半径方向に沿って直線状に配列されたが、発光素子１２３の配列は以上の例示に限定されない。例えば、操作面Ｆbの円周方向にわたり複数の発光素子１２３を配列してもよい。また、回転操作子１１の操作面Ｆbの裏側に設置された光照射部１２から、当該操作面Ｆbの裏側を照射することで、操作面Ｆbに楽曲画像Ｇを表示してもよい。以上の構成では、操作面Ｆbの裏側の全体にわたり複数の発光素子１２３を設置してもよい。
【００３９】
（３）前述の各形態では、蓄光材料で形成された操作面Ｆbを光照射部１２で照射することで、操作面Ｆbに楽曲画像Ｇを表示したが、楽曲画像Ｇを操作面Ｆbに表示する構成は以上の例示に限定されない。例えば、液晶ディスプレイ、有機ＥＬディスプレイまたは電気泳動ディスプレイ（例えば電子ペーパー）等の各種のディスプレイで操作面Ｆbを形成してもよい。
【００４０】
また、磁力により磁性材料の微粒子を移動させることで画像を表示する表示パネルで操作面Ｆbを形成してもよい。以上の説明から理解される通り、光照射部１２は省略される。また、楽曲画像Ｇに応じたパターンが加工された透明プレートに、発光素子１２３が光を照射することで当該楽曲画像Ｇを表示する構成も採用される。
【００４１】
（４）前述の各形態では、回転操作子１１は楽曲の再生に並行して回転したが、楽曲の再生に並行して回転操作子１１が回転することは必須ではない。すなわち、回転操作子１１に対する操作がある場合にのみ、当該操作に応じて回転する。
【００４２】
（５）前述の各形態では、操作面Ｆbの全周にわたり楽曲画像Ｇを表示したが、操作面Ｆbの一部に楽曲画像Ｇを表示してもよい。
【００４３】
（６）前述の各形態において、例えば楽曲の再生の条件（例えば音量、音高または速度）を変更する操作を端末装置２０に対して利用者がした場合に、当該条件の変更に応じて楽曲画像Ｇの表示の態様（例えば色または大きさ）を変化させてもよい。また、端末装置２０に対する操作の内容を表す画像を操作面Ｆbに表示してもよい。
【００４４】
（７）前述の各形態では、回転操作子１１の操作面Ｆbに楽曲画像Ｇを表示したが、回転操作子１１における操作面Ｆb以外の表面に楽曲画像Ｇを表示してもよい。例えば、回転操作子１１の側面に楽曲画像Ｇが表示される。
【００４５】
（８）前述の各形態では、楽曲画像Ｇを回転操作子１１が表示したが、回転操作子１１が表示する画像は楽曲画像Ｇに限定されない。放音装置３０が再生する楽曲とは無関係な画像（例えば企業の広告に関する画像）を回転操作子１１が表示してもよい。以上の構成では、当該画像を表すビットマップデータを事前に記憶装置２３に記憶し、当該ビットマップデータを利用して画像データＤが生成される。なお、楽曲の再生点Ｐの移動に応じて操作面Ｆbの画像が変化することは必須ではない。すなわち、楽曲の再生中にわたり固定の画像を操作面Ｆbが表示してもよい。回転操作子１１が表示する画像は、表示駆動回路１５により変更可能な画像であれば任意である。したがって、利用者が認識可能な情報を表す画像（例えば楽曲画像Ｇ）には、限定されない。例えば、Ｎ個の発光素子１２３の各々をランダムに点滅させることで操作面Ｆbに画像を表示してもよい。
【００４６】
（９）前述の各形態では、音信号Ｑの波形または歌詞のうち再生点Ｐに対応する部分を楽曲画像Ｇとして表示されたが、再生点Ｐに対応する楽曲画像Ｇは以上の例示に限定されない。例えば、楽曲の楽譜のうち再生点Ｐに対応する部分を含む楽曲画像Ｇを表示してもよい。
【００４７】
（１０）前述の各形態において、ＡＶ機器１０の回転操作子１１を、音信号Ｑの波形のうち再生点Ｐに対応する部分に応じて振動させてもよい。ＡＶ機器１０は、回転操作子１１を振動させる振動子を具備する。例えば、端末装置２０がＡＶ機器１０に音信号Ｑを送信し、振動子は当該音信号Ｑに応じて振動する。
【００４８】
（１１）前述の各形態では、ＡＶ機器１０または端末装置２０と別体の放音装置３０を利用したが、ＡＶ機器１０または端末装置２０と一体の放音装置を利用して楽曲を放音してもよい。
【００４９】
（１２）前述の各形態では、ＤＪコントローラをＡＶ機器１０として例示したが、ＡＶ機器１０はＤＪコントローラに限定されない。例えば、リスニング用のレコードプレイヤーをＡＶ機器１０として利用してもよい。以上の構成では、例えばトーンアームに光照射部１２を設置し、レコードの表面（トーンアームの針を載置する面）が楽曲画像Ｇを表示する。レコードの表面には例えば蓄光シートが接合される。以上の説明から理解される通り、楽曲の再生点の移動に対応して回転する回転体に楽曲画像Ｇが表示されれば、利用者により操作される回転体（例えば回転操作子１１）であっても、利用者により操作がされない回転体（例えばレコード）であってもよい。
【００５０】
（１３）前述の各形態において、楽曲画像Ｇが再生点の手前（時間軸で前方）の時点に対応する部分（以下「前方部分」という）を含んでもよい。第１実施形態では、音信号Ｑの波形のうち再生点Ｐの手前に対応する部分が前方部分として例示され、第２実施形態では、歌詞画像において再生点Ｐの手前に対応する部分が前方部分として例示される。具体的には、画像処理部２１４は、音信号Ｑの波形Ｗにおいて前方部分に対応する画像データＤを生成して、ＡＶ機器１０に供給する。以上の構成では、楽曲の再生点Ｐに先立って、前方部分を含む楽曲画像Ｇが表示されるから、例えばＤＪプレイがしやすくなるという利点がある。
【００５１】
（１４）回転する回転体に各種の画像を表示するため、前述の各形態で例示した構成が利用される。例えば、自転車または自動車等の車輪を構成する回転体の表面に画像を表示するために利用される。また、展示のために商品または作品等を載置する回転台の表面に画像を表示するために利用してもよい。以上の説明から理解される通り、楽曲の再生点Ｐの移動を前提としない各種の回転体に画像を表示するために本開示は利用される。また、児童向けのＤＪコントローラ型の玩具において本開示を利用してもよい。
【００５２】
（１５）以上に例示した端末装置２０の機能は、前述の通り、制御装置２１を構成する単数または複数のプロセッサと記憶装置２３に記憶されたプログラムとの協働により実現される。本開示に係るプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体または磁気記録媒体等の公知の任意の形式の記録媒体も包含される。なお、非一過性の記録媒体とは、一過性の伝搬信号（transitory, propagating signal）を除く任意の記録媒体を含み、揮発性の記録媒体も除外されない。また、配信装置が通信網を介してプログラムを配信する構成では、当該配信装置においてプログラムを記憶する記憶装置２３が、前述の非一過性の記録媒体に相当する。
【００５３】
（１６）以上に例示した形態から、例えば以下の構成が把握される。
＜態様１＞
本開示のひとつの態様（態様１）に係るＡＶ機器は、楽曲の再生点の移動に対応して回転する回転体を具備し、前記回転体は、画像を表示する。以上の構成によれば、楽曲の再生点の移動に対応して回転する回転体に画像が表示されるから、例えば回転体とは別個の表示装置に画像が表示される構成と比較して、視覚的な演出の効果が高い。
＜態様２＞
態様１の一例に（態様２）に係るＡＶ機器において、前記再生点を変化させるために利用者が回転させる回転操作子を具備し、前記回転操作子は、画像を表示する。以上の構成によれば、楽曲の再生点を変化させるために利用者が回転させる回転操作子に画像が表示されるから、回転操作子の操作に応じて画像も回転する。したがって、視覚的な演出の効果が高い、という効果が顕著である。
【００５４】
＜態様３＞
態様２の一例（態様３）に係るＡＶ機器において、前記回転操作子のうち前記利用者が接触する操作面に前記画像が表示される。以上の構成によれば、操作面に画像が表示されるから、画像の表示に利用できる面積を確保しやすいという利点がある。
【００５５】
＜態様４＞
態様３の一例（態様４）に係るＡＶ機器において、前記回転操作子の操作面に光を照射する光照射部を具備し、前記回転操作子は、前記操作面が畜光材料で形成され、前記光照射部による照射により前記画像を表示する。以上の構成では、回転操作子の操作面を照射することで画像が表示されるから、簡便な構成により回転操作子に画像を表示することができる。
【００５６】
＜態様５＞
態様４の一例（態様５）に係るＡＶ機器において、前記光照射部は、前記回転操作子の半径方向に沿って配列される複数の発光素子を具備する。以上の構成では、半径方向に沿って配列される複数の発光素子が回転操作子を照射するから、例えば操作面の広範囲にわたり発光素子が配列される構成と比較して、利用者による操作を阻害することなく、回転操作子の操作面の全体にわたり画像を表示することができる。
【００５７】
＜態様６＞
態様２から態様５の何れかの一例（態様６）に係るＡＶ機器において、回転操作子は、前記楽曲の再生に並行して回転する。以上の構成では、楽曲の再生に並行して画像が連続的に回転するから、利用者からの操作が発生した場合にのみ回転操作子が回転する構成と比較して、視覚的な演出の効果が高い。
【００５８】
＜態様７＞
態様１から態様６の何れかの一例（態様７）に係るＡＶ機器において、前記画像は、前記再生点に対応する画像である。以上の構成では、楽曲の再生点の移動に応じて表示される画像が変化するから、利用者が楽曲の再生点を視覚的に把握しやすい。すなわち、利用者がＤＪプレイをしやすいという利点がある。
【００５９】
＜態様８＞
態様７の一例（態様８）に係るＡＶ機器において、前記画像は、前記楽曲を表す音信号Ｑの波形のうち前記再生点に対応する部分を含む。以上の構成では、楽曲を表す音信号Ｑの波形のうち再生点に対応する部分を含む楽曲画像が表示されるから、利用者が楽曲の再生点を視覚的に把握しやすいという効果が顕著である。
【００６０】
＜態様９＞
態様７の一例（態様９）に係るＡＶ機器において、前記画像は、前記楽曲の歌詞のうち前記再生点に対応する部分を含む。以上の構成では、楽曲の歌詞のうち再生点に対応する部分を含む楽曲画像が表示されるから、利用者が楽曲の再生点を視覚的に把握しやすいという効果が顕著である。
【００６１】
＜態様１０＞
態様８または態様９の一例（態様１０）に係るＡＶ機器において、前記画像は、前記再生点の手前の時点に対応する部分を含む。以上の構成では、楽曲の再生点に先立って、当該再生点の手前の時点に対応する部分を含む画像が表示されるから、例えばＤＪプレイがしやすくなるという利点がある。
【符号の説明】
【００６２】
１…再生システム、１１…回転操作子、１２…光照射部、１２１…支持部、１２３…発光素子、１３…回転駆動回路、１４…検出回路、１５…表示駆動回路、１６…通信装置、１７…入力装置、１９…筐体部、２０…端末装置、２１…制御装置、２１２…信号処理部、２１４…画像処理部、２３…記憶装置、２５…通信装置、２７…入力装置、３０…放音装置。
【図１】
2020202001.tif 000003
【図２】
2020202001.tif 000004
【図３】
2020202001.tif 000005
【図４】
2020202001.tif 000006
【図５】
2020202001.tif 000007
【図６】
2020202001.tif 000008
【図７】
2020202001.tif 000009